(57)【要約】【課題】無線ＬＡＮ機能を有するメモリーカードに格納されているデータを使用する印刷の利便性を高める。【解決手段】画像形成装置は、携帯機器と、複数の画像ファイルを格納可能なメモリーカードと無線通信機能で接続可能である。携帯機器は、メモリーカードから複数の画像ファイルのそれぞれの少なくとも一部をデータとして受信する受信部と、受信部が受信したデータに応じて複数の画像ファイルのそれぞれを特定するための画像を表示し、画像形成装置で画像形成の対象として選択するための選択入力を受け付ける操作表示部とを有する。画像形成装置は、メモリーカードに格納されている画像ファイルのうち選択入力によって選択されている特定の画像ファイルを受信する画像ファイル受信部と、携帯機器からの画像形成指令に応じて、特定の画像ファイルに含まれている画像データに基づいて画像を形成する画像形成部とを備える。【選択図】図１
2018069505.tif 000002
【特許請求の範囲】
【請求項１】
携帯機器と、複数の画像ファイルを格納可能なメモリーカードと無線通信機能で接続可能な画像形成装置であって、
前記携帯機器は、
前記メモリーカードから前記複数の画像ファイルのそれぞれの少なくとも一部をデータとして受信する受信部と、
前記受信部が受信した前記データに応じて前記複数の画像ファイルのそれぞれを特定するための画像を表示し、前記画像形成装置で画像形成の対象として選択するための選択入力を受け付ける操作表示部と、
を有し、
前記画像形成装置は、前記メモリーカードに格納されている画像ファイルのうち前記選択入力によって選択されている特定の画像ファイルを受信する画像ファイル受信部と、
前記携帯機器からの画像形成指令に応じて、前記特定の画像ファイルに含まれている画像データに基づいて画像を形成する画像形成部と、
を備える画像形成装置。
【請求項２】
請求項１に記載の画像形成装置であって、
前記特定の画像ファイルを前記メモリーカードから受信する際に、前記特定の画像ファイルにアクセスするための認証用コードを前記携帯機器に送信し、
前記携帯機器は、前記画像形成指令において前記認証用コードを使用する画像形成装置。
【請求項３】
請求項１又は２に記載の画像形成装置であって、
前記携帯機器が同時に複数接続可能であり、前記複数の携帯機器に対して相互に相違する複数の認証用コードを設定し、
前記各携帯機器に設定されている認証用コードに紐づけられている画像ファイルにアクセスを許可し、他の認証用コードに紐づけられている画像ファイルを不可視とする画像形成装置。
【請求項４】
請求項３に記載の画像形成装置であって、
前記複数の携帯機器が接続されている場合には、接続順に前記複数の携帯機器によって前記画像形成装置が利用可能となる順番を設定し、
前記順番となった携帯機器に対応する入力が予め設定されている時間無かった場合には、前記順番となった携帯機器に対応する前記特定の画像ファイルを消去する画像形成装置。
【請求項５】
画像形成システムであって、
前記請求項１乃至４のいずれか１項に記載の画像形成装置と、
前記画像形成装置に無線で接続可能な携帯機器と、
を備え、
前記携帯機器は、
前記メモリーカードから前記複数の画像ファイルのそれぞれの少なくとも一部をデータとして受信する受信部と、
前記受信部が受信した前記データに応じて前記複数の画像ファイルのそれぞれを特定するための画像を表示し、前記画像形成装置で画像形成の対象として選択するための選択入力を受け付ける操作表示部と、
を有する画像形成システム。
【請求項６】
請求項５に記載の画像形成システムであって、
前記携帯機器は、前記画像形成装置で画像形成の対象として選択されていることを示す情報を含む画像関連データを前記特定の画像ファイルに紐づけて格納している画像形成システム。
【請求項７】
携帯機器と、複数の画像ファイルを格納可能なメモリーカードと、前記携帯機器と前記メモリーカードと無線通信機能で接続可能な画像形成装置を使用する画像形成方法であって、
前記携帯機器は、
前記メモリーカードから前記複数の画像ファイルのそれぞれの少なくとも一部をデータとして受信する受信部と、
前記受信部が受信した前記データに応じて前記複数の画像ファイルのそれぞれを特定するための画像を表示し、前記画像形成装置で画像形成の対象として選択するための選択入力を受け付ける操作表示部と、
を有し、
前記画像形成方法は、前記メモリーカードに格納されている画像ファイルのうち前記選択入力によって選択されている特定の画像ファイルを受信する画像ファイル受信工程と、
前記携帯機器からの画像形成指令に応じて、前記特定の画像ファイルに含まれている画像データに基づいて画像を形成する画像形成工程と、
を備える画像形成方法。
【請求項８】
携帯機器と、複数の画像ファイルを格納可能なメモリーカードと無線通信機能で接続可能な画像形成装置を制御する画像形成プログラムであって、
前記携帯機器は、
前記メモリーカードから前記複数の画像ファイルのそれぞれの少なくとも一部をデータとして受信する受信部と、
前記受信部が受信した前記データに応じて前記複数の画像ファイルのそれぞれを特定するための画像を表示し、前記画像形成装置で画像形成の対象として選択するための選択入力を受け付ける操作表示部と、
を有し、
前記メモリーカードに格納されている画像ファイルのうち前記選択入力によって選択されている特定の画像ファイルを受信する画像ファイル受信部と、
前記携帯機器からの画像形成指令に応じて、前記特定の画像ファイルに含まれている画像データに基づいて画像を形成する画像形成部として前記画像形成装置を機能させる画像形成プログラム。
【発明の詳細な説明】
【技術分野】
【０００１】
本発明は、画像形成装置、画像形成方法及び画像形成プログラムに関し、特に、無線通信機能を有するメモリーカードを使用する技術に関する。
【背景技術】
【０００２】
典型的な画像形成装置（たとえばプリンター、多機能プリンター、又は複合機（Ｍｕｌｔｉｆｕｎｃｔｉｏｎ  Ｐｅｒｉｐｈｅｒａｌ（ＭＦＰ））は、ネットワークに複数接続され、プリントサーバから受信した印刷ジョブを印刷することができる。このような環境において、たとえば特許文献１は、ネットワークに携帯機器を無線接続し、携帯機器のユーザーインターフェース機能を使用して印刷処理の利便性を高める技術を提供している。具体的には、特許文献１は、たとえば携帯機器から赤外線通信で印刷ジョブを特定する情報を空いている画像形成装置に送信し、その情報によって印刷指令を仲介サーバに送信する技術、さらに、ネットワーク上に保存されたデータを携帯機器が取得し、ネットワークに接続されていない画像形成装置に赤外線通信で送信して、その画像形成装置で印刷する技術を提供している。一方、近年、無線ＬＡＮ機能を有するメモリーカードが普及しつつある。
【先行技術文献】
【特許文献】
【０００３】
【特許文献１】特開２００８−０３３４１５号公報
【発明の概要】
【発明が解決しようとする課題】
【０００４】
しかしながら、無線ＬＡＮ機能を有するメモリーカードに格納されているデータを使用する印刷方法については、十分な検討がなされていなかった。
【０００５】
本発明は、このような状況に鑑みてなされたものであり、無線ＬＡＮ機能を有するメモリーカードに格納されているデータを使用する印刷の利便性を高める技術を提供することを目的とする。
【課題を解決するための手段】
【０００６】
本発明は、携帯機器と、複数の画像ファイルを格納可能なメモリーカードと無線通信機能で接続可能な画像形成装置を提供する。前記携帯機器は、前記メモリーカードから前記複数の画像ファイルのそれぞれの少なくとも一部をデータとして受信する受信部と、前記受信部が受信した前記データに応じて前記複数の画像ファイルのそれぞれを特定するための画像を表示し、前記画像形成装置で画像形成の対象として選択するための選択入力を受け付ける操作表示部とを有し、前記画像形成装置は、前記メモリーカードに格納されている画像ファイルのうち前記選択入力によって選択されている特定の画像ファイルを受信する画像ファイル受信部と、前記携帯機器からの画像形成指令に応じて、前記特定の画像ファイルに含まれている画像データに基づいて画像を形成する画像形成部とを備える。
【０００７】
本発明は、携帯機器と、複数の画像ファイルを格納可能なメモリーカードと、前記携帯機器と前記メモリーカードと無線通信機能で接続可能な画像形成装置を使用する画像形成方法を提供する。前記携帯機器は、前記メモリーカードから前記複数の画像ファイルのそれぞれの少なくとも一部をデータとして受信する受信部と、前記受信部が受信した前記データに応じて前記複数の画像ファイルのそれぞれを特定するための画像を表示し、前記画像形成装置で画像形成の対象として選択するための選択入力を受け付ける操作表示部とを有し、前記画像形成方法は、前記メモリーカードに格納されている画像ファイルのうち前記選択入力によって選択されている特定の画像ファイルを受信する画像ファイル受信工程と、前記携帯機器からの画像形成指令に応じて、前記特定の画像ファイルに含まれている画像データに基づいて画像を形成する画像形成工程とを備える。
【０００８】
本発明は、携帯機器と、複数の画像ファイルを格納可能なメモリーカードと無線通信機能で接続可能な画像形成装置を制御する画像形成プログラムを提供する。前記携帯機器は、前記メモリーカードから前記複数の画像ファイルのそれぞれの少なくとも一部をデータとして受信する受信部と、前記受信部が受信した前記データに応じて前記複数の画像ファイルのそれぞれを特定するための画像を表示し、前記画像形成装置で画像形成の対象として選択するための選択入力を受け付ける操作表示部とを有し、前記メモリーカードに格納されている画像ファイルのうち前記選択入力によって選択されている特定の画像ファイルを受信する画像ファイル受信部と、前記携帯機器からの画像形成指令に応じて、前記特定の画像ファイルに含まれている画像データに基づいて画像を形成する画像形成部として前記画像形成装置を機能させる。
【発明の効果】
【０００９】
本発明によれば、無線ＬＡＮ機能を有するメモリーカードに格納されているデータを使用する印刷の利便性を高める技術を提供することができる。
【図面の簡単な説明】
【００１０】
【図１】本発明の一実施形態に係る画像形成システム１０の機能構成を示すブロックダイアグラムである。
【図２】一実施形態に係る画像形成処理の手順を示すフローチャートである。
【図３】一実施形態に係る画像データ準備処理の手順を示すフローチャートである。
【図４】一実施形態に係る画像データ準備処理におけるスマートフォン２００の操作表示部２３０を示す説明図である。
【図５】一実施形態に係る画像形成指令におけるスマートフォン２００の操作表示部２３０を示す説明図である。
【発明を実施するための形態】
【００１１】
以下、本発明を実施するための形態（以下、「実施形態」という）を、図面を参照して説明する。
【００１２】
図１は、本発明の一実施形態に係る画像形成システム１０の機能構成を示すブロックダイアグラムである。画像形成システム１０は、画像形成装置１００と、スマートフォン２００と、デジタルカメラ３００とを備えている。画像形成装置１００は、本実施形態では、コンビニエンスストアに設置され、不特定のユーザーに利用される。スマートフォン２００及びデジタルカメラ３００は、コンビニエンスストアに訪れた顧客の所有物である。
【００１３】
画像形成装置１００は、制御部１１０と、画像形成部１２０と、操作表示部１３０と、記憶部１４０と、無線ＬＡＮ機能を有する通信インターフェース部１５０とを備えている。画像形成部１２０は、原稿から画像を読み取って画像データを生成する画像読取部１２１と、印刷設定に従って画像データを処理する画像処理部１２２と、処理された画像データに基づいて印刷媒体上に印刷を行う画像解析部１２３とを備えている。通信インターフェース部１５０は、単に画像ファイル受信部とも呼ばれる。
【００１４】
スマートフォン２００は、制御部２１０と、操作表示部２３０と、記憶部２４０と、無線ＬＡＮ機能を有する通信インターフェース部２５０と、撮像部２６０とを備えている。通信インターフェース部２５０は、単に受信部とも呼ばれる。
【００１５】
デジタルカメラ３００は、無線ＬＡＮ機能を有するメモリーカード３１０を装着している。メモリーカード３１０は、制御部３１１と、複数の画像ファイルを格納可能な記憶部３１２と、無線ＬＡＮ機能を有する通信インターフェース部３１３とを備えている。
【００１６】
メモリーカード３１０は、デジタルカメラ３００で撮像して生成された画像データを記憶部３１２で格納することができる。メモリーカード３１０は、さらに、無線ＬＡＮ機能を有するので、デジタルカメラ３００以外の機器との間で画像データを送受信することもできる。画像データは、たとえばＥｘｉｆ（Ｅｘｃｈａｎｇｅａｂｌｅ  ｉｍａｇｅ  ｆｉｌｅ  ｆｏｒｍａｔ）形式の画像ファイルとして保存されている。
【００１７】
画像形成装置１００、スマートフォン２００及びメモリーカード３１０は、それぞれ通信インターフェース部１５０，２５０，３１３を使用して無線通信機能で相互に接続可能である。無線通信機能には、本実施形態では、無線ＬＡＮ（ＩＥＥＥ  ８０２．１１）が利用される。なお、本実施形態では、画像形成装置１００は、複数のスマートフォン２００及びメモリーカード３１０に同時に接続可能であるものとする。
【００１８】
画像形成装置１００の操作表示部１３０及びスマートフォン２００の操作表示部２３０は、タッチパネルとして機能し、様々なメニューを入力画面として表示し、ユーザーの操作入力を受け付ける。操作表示部１３０は、ディスプレイ１３１と、操作ボタン１３２とを備えている。操作ボタン１３２は、タッチパネルとして機能するディスプレイ１３１や各種ボタンやスイッチ（図示せず）からユーザーの操作入力を受け付ける。
【００１９】
制御部１１０，２１０，３１１は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備えている。制御部１１０，２１０，３１１は、それぞれ画像形成装置１００、スマートフォン２００及びメモリーカード３１０の全体を制御する。
【００２０】
記憶部１４０，２４０，３１２は、非一時的な記録媒体であるハードディスクドライブやフラッシュメモリー等からなる記憶装置で、それぞれ制御部１１０，２１０，３１１が実行する処理の制御プログラムやデータを記憶する。記憶部１４０には、スマートフォン２００にインストールするための画像データ管理アプリケーションプログラム１４１が記憶されている。記憶部１４０は、さらに、画像ファイルを格納するためのデータ格納領域１４２を有している。
【００２１】
図２は、一実施形態に係る画像形成処理の手順を示すフローチャートである。この例では、スマートフォン２００及びデジタルカメラ３００を所持しているユーザーがコンビニエンスストアを訪れ、コンビニエンスストアに設置されている画像形成装置１００を利用して印刷を行うことが想定されている。なお、この例では、スマートフォン２００には、画像形成装置１００の記憶部１４０に記憶してある画像データ管理アプリケーションプログラム１４１が予めインストールしてあるものとする。
【００２２】
ステップＳ１００では、ユーザーは、画像形成装置１００が利用可能であるか否かを判断する。具体的には、たとえば第三者が画像形成装置１００を利用可能中、あるいは印刷中である場合には、利用可能でないと判断する。画像形成装置１００が利用可能でない場合には、処理をステップＳ３００に進め、画像形成装置１００が利用可能である場合には、処理をステップＳ２００に進める。
【００２３】
図３は、一実施形態に係る画像データ準備処理の手順を示すフローチャートである。ステップＳ２１０では、ユーザーは、スマートフォン２００とメモリーカード３１０を無線ＬＡＮで接続する。ユーザーは、デジタルカメラ３００の電源をオンとし、スマートフォン２００において画像データ管理アプリケーションプログラム１４１を起動させる。メモリーカード３１０には、複数の画像ファイルが格納され、電力が供給されている。画像データ管理アプリケーションプログラム１４１は、単にアプリケーション１４１とも呼ばれる。この例では、複数の画像ファイルのそれぞれには、その画像ファイル（画像内容）を特定するためのサムネイル画像データが含まれている。
【００２４】
スマートフォン２００は、アプリケーション１４１の起動に応じて自動的にメモリーカード３１０と無線ＬＡＮで接続される。アプリケーション１４１は、メモリーカード３１０からサムネイル画像データと、Ｅｘｉｆファイルに含まれている撮影日時のデータと、ファイル名とを受信する。サムネイル画像データ、Ｅｘｉｆに含まれている撮影日時のデータ及びファイル名は、画像関連データとも呼ばれる。スマートフォン２００は、同一のファイル名を含む画像関連データが未取得の場合には、記憶部２４０に記憶し、取得済みの場合には、その画像ファイルのデータ受信を中止する。
【００２５】
図４は、一実施形態に係る画像データ準備処理におけるスマートフォン２００の操作表示部２３０を示す説明図である。操作表示部２３０は、複数のサムネイル画像ＴＮを表示するサムネイル表示領域２３１と、サムネイル画像ＴＮを選択するための選択アイコン２３２と、キャンセルアイコン２３３と、印刷設定アイコン２３４とを含んでいる。サムネイル表示領域２３１は、スワイプ操作でスクロールすることが可能であり、ピンチイン操作（縮小操作）やピンチアウト操作（拡大操作）を受け付けるように構成してもよい。
【００２６】
ステップＳ２２０では、ユーザーは、対象写真選択操作を行う。対象写真選択操作では、ユーザーは、画像形成対象とするための画像を表すサムネイル画像ＴＮをタップし、選択アイコン２３２をタップ（選択入力とも呼ばれる。）することによって選択することができる。キャンセルアイコン２３３は、一旦は選択されたサムネイル画像ＴＮを選択対象から外すために利用される。
【００２７】
ステップＳ２３０では、スマートフォン２００の制御部２１０は、タグ付け処理を実行する。タグ付け処理では、制御部２１０は、選択入力に応じて選択対象となっている画像関連データにタグ付けを行う。タグは、画像関連データに含められ、メモリーカード３１０に格納されている画像ファイルが画像形成対象であることを表している。
【００２８】
一方、ステップＳ１００において、画像形成装置１００が利用可能でないとユーザーが判断した後、ステップＳ３００において、メモリーカード３１０からスマートフォン２００へのデータ送信をユーザーが望んだときには、処理がステップＳ４００に進められる。ステップＳ４００の内容は、ステップＳ２００と同様である。
【００２９】
ステップＳ４００の処理は、たとえばユーザーが予め自宅でスマートフォン２００を使用し、印刷対象の画像ファイルを選択する際等にも利用できる。この場合、ユーザーは、画像ファイルの選択の後に、コンビニエンストアに訪れ、画像形成装置１００が利用可能であると判断した場合には、処理がステップＳ６００に進められる（ステップＳ５００）。
【００３０】
ステップＳ６００では、ユーザーは、印刷設定処理を実行する。印刷設定処理は、ユーザーが印刷設定アイコン２３４をタップすることによって開始される。印刷設定アイコン２３４がタップされると、サムネイル表示領域２３１は、選択対象となっている画像ファイルのサムネイルのみの表示に切り替えられる。印刷設定の内容は、画像形成装置１００で設定可能な情報を表す印刷設定情報を画像形成装置１００から取得し、取得した印刷設定情報に基づいて決定される。
【００３１】
図５は、一実施形態に係る画像形成指令（印刷指令とも呼ばれる。）におけるスマートフォン２００の操作表示部２３０を示す説明図である。ユーザーは、サムネイル画像ＴＮを１つ又は複数選択して、選択された画像毎に印刷枚数やカラー又はモノクロといった印刷設定を行うことができる。スマートフォン２００及び画像形成装置１００は、印刷設定のための操作と平行して、ステップＳ７００乃至Ｓ９００の処理を実行する。
【００３２】
ステップＳ７００では、スマートフォン２００は、画像形成装置１００に同時に複数のスマートフォンが接続されているか否かを問い合わせる。画像形成装置１００から複数のスマートフォンが接続されている状態、すなわち、他のスマートフォンが接続されているとの回答があった場合には、処理がステップＳ８００に進められる。一方、画像形成装置１００にスマートフォン２００のみが接続されているとの回答があった場合には、処理がステップＳ８５０に進められる。
【００３３】
ステップＳ８００では、スマートフォン２００は、画像形成対象となっている画像ファイルをメモリーカード３１０から受信してスマートフォン２００の記憶部２４０に格納する。各画像ファイルには、印刷設定情報を含む画像関連データが紐づけられている。これにより、ユーザーは、デジタルカメラ３００なしで印刷が実行可能となるので、デジタルカメラ３００の電源をオフとすることができる。
【００３４】
ステップＳ８５０では、画像形成装置１００は、画像形成対象となっている画像ファイルをメモリーカード３１０から受信して記憶部１４０のデータ格納領域１４２に格納する。各画像ファイルには、ファイル名及び印刷設定情報を含む画像関連データが紐づけられている。各画像ファイルには、さらに認証用コードが紐づけられる。認証用コードは、画像形成装置１００からスマートフォン２００に送信される。
【００３５】
図５では、サムネイル表示領域２３１は、８個の画像ファイルのダウンロード状態をサムネイルで示している。具体的には、クロスハッチングで示されている６個のサムネイルは、画像形成装置１００でダウンロード済みの画像ファイルを示し、シングルハッチングで示されている２個のサムネイルは、画像形成装置１００でダウンロード済みの画像ファイルを示している。
【００３６】
スマートフォン２００は、画像形成装置１００から受信した認証用コードを使用して８個の画像ファイルにアクセスしてダウンロード状態を表す情報を含む各画像関連データを取得し、各画像ファイルのダウンロード状態を確認することができる。なお、ステップＳ８００では、画像形成装置１００に画像ファイルが送信されないので、８個の画像ファイルは、全てシングルハッチングで示されることになる。
【００３７】
ステップＳ９００では、ユーザーは、スマートフォン２００の操作表示部２３０の印刷開始アイコン２３５をタップして画像形成装置１００での画像形成処理を開始させる。スマートフォン２００は、認証用コードを含む印刷指令を送信して８個の画像ファイルの画像形成処理を開始させる。これにより、画像処理部１２２は、印刷設定に従って画像データを処理し、画像解析部１２３は、処理された画像データに基づいて印刷媒体上に画像形成を行う。
【００３８】
一方、ステップＳ７００において、他のスマートフォンが接続されているとの回答があった場合には、たとえば画像形成装置１００が空いた状態、あるいは他のコンビニエンスストアに移動し、スマートフォン２００から画像形成装置１００に無線ＬＡＮで接続し、８個の画像ファイルを送信するとともに、認証用コードを取得することができる。この処理の後に、ステップＳ９００の処理が可能となる。
【００３９】
このように、一実施形態に係る画像形成システム１０によれば、スマートフォン２００のユーザーインターフェース機能を使用して無線ＬＡＮ機能を有するメモリーカードに格納されているデータを使用する印刷の利便性を高めることができる。具体的には、画像形成装置１００が有するメモリーカード用のスロットを利用した場合には、メモリーカードに格納されている全ての画像ファイルが画像形成装置１００に読み込まれ、画像の選択や印刷設定に時間を要することとなる。この結果、不特定の利用者を想定している画像形成装置１００を過度に長い時間占有してしまうといった問題が生じる可能性がある。本発明は、このような問題を解消することができる。
【００４０】
さらに、画像形成システム１０は、画像形成装置１００の利用状況に応じて、きめ細かな処理を行うことができるので、利用者の利便性を顕著に高めることができる。加えて、スマートフォン２００に画像ファイルが送信された場合には、たとえば送信日時に基づいて配列されたサムネイル画像ＴＮを利用して印刷した画像データを容易に探し出すこともできる。
【００４１】
本発明は、上記各実施形態だけでなく、以下のような変形例でも実施することができる。
【００４２】
変形例１：上記実施形態では、ユーザーは、メモリーカードに格納されている複数の画像データから選択して画像形成装置１００に印刷を実行させているが、このような用途に限られない。具体的には、スマートフォン２００は、クラウドに格納されている複数の画像データから選択して画像形成装置１００に印刷を実行させるようにしてもよい。
【００４３】
この場合、スマートフォン２００は、選択された画像ファイルをダウンロードするための一時的な認証用コードを画像形成装置１００に送信し、画像形成装置１００は、受信した一時的な認証用コードを使用して選択された画像ファイルをダウンロードして画像形成を実行することができる。
【００４４】
変形例２：上記実施形態では、デジタルカメラは、サムネイル画像データを生成して画像ファイルに格納しているが、このような構成に限られない。スマートフォン２００は、画像ファイルを受信して、画像ファイルからサムネイル画像データ及び画像関連データを生成し、その後に画像ファイルを廃棄するようにしてもよい。このようにしても、メモリーカードやクラウドといった記憶容量の大きな媒体に格納されている画像ファイルを少ないデータで管理することができる。このように、携帯機器は、画像ファイルの少なくとも一部を受信してサムネイル画像データを利用可能とできればよい。
【００４５】
変形例３：上記実施形態では、画像形成装置に対して携帯機器が同時に複数接続可能であるが、複数の携帯機器から画像形成装置に対して画像ファイルを送信するようには構成されていない。しかしながら、このような構成に限られず、たとえば複数の携帯機器に対して相互に相違する複数の認証用コードを設定し、複数の携帯機器から画像形成装置に対して同時に画像ファイルを送信するように画像形成装置を構成してもよい。
【００４６】
このような画像形成装置は、各携帯機器に設定されている認証用コードに紐づけられている画像ファイルにアクセスを許可し、他の認証用コードに紐づけられている画像ファイルが不可視となるように構成することが好ましい。
【００４７】
変形例４：上記実施形態では、画像形成装置に対して複数の携帯機器が接続されている場合には、たとえば接続順に複数の携帯機器によって画像形成装置が利用可能となる順番を設定し、順番となった携帯機器に対応する入力（たとえば印刷指令）が予め設定されている時間（たとえば１分間）無かった場合には、順番となった携帯機器に対応する特定の画像ファイルを消去するように構成してもよい。
【００４８】
このような画像形成装置は、順番となった携帯機器に対してプッシュ通知で、順番となったことを通知することが好ましい。さらに、画像形成装置は、操作表示部に自動的に認証画面を表示し、画像形成装置に入力することによって認証用コードを取得し、認証用コードに対応する画像ファイルが操作表示部に表示し、印刷処理を実行可能状態とするように構成してもよい。なお、上述の順番となった携帯機器に対応する入力には、画像形成装置への認証用コードの入力も含まれる。
【００４９】
変形例５：上記実施形態では、スマートフォン及びデジタルカメラが使用されているが、本発明は、無線通信が可能であればノートＰＣやタブレットといった携帯機器に適用可能である。なお、無線通信には、赤外線等による通信も含まれる。
【符号の説明】
【００５０】
１０  画像形成システム
１００  画像形成装置
１１０  制御部
１２０  画像形成部
１３０  操作表示部
１４０，２４０，３１２  記憶部
１５０，２５０，３１３  通信インターフェース部
２００  スマートフォン
１１０，２１０，３１１  制御部
２３０  操作表示部
２４０  記憶部
３００  デジタルカメラ
３１０  メモリーカード
【図１】
2018069505.tif 000003
【図２】
2018069505.tif 000004
【図３】
2018069505.tif 000005
【図４】
2018069505.tif 000006
【図５】
2018069505.tif 000007